(57)【要約】【課題】互いに解像度の異なる複数の表示装置に対して簡単且つ安価な構成で画像を提供することができ、画像出力を切り替える際の画像の無表示時間を短縮することのできるカメラを提供する。【解決手段】本発明のカメラは、撮影画像データから互いに解像度の異なる第１デジタル画像信号と第２デジタル画像信号とを生成可能な画像処理部（６）と、前記第１デジタル画像信号を入力して撮影画像を表示する内蔵表示装置（２０）と、前記第２デジタル画像信号を入力し、該第２デジタル画像信号を外部表示装置（１７）への出力用に変換する信号変換部（２１）と、を備えるカメラ（１）であって、前記画像処理部（６）から前記内蔵表示装置（２０）へ前記第１デジタル画像信号を出力する伝送経路（１６）と、前記画像処理部（６）から前記信号変換部（２１）へ前記第２デジタル画像信号を出力する伝送経路（１６）とが共有されていることを特徴とする。【選択図】図１
2009038635.tif 000002
【特許請求の範囲】
【請求項１】
撮影画像データから互いに解像度の異なる第１デジタル画像信号と第２デジタル画像信号とを生成可能な画像処理部と、
前記第１デジタル画像信号を入力して撮影画像を表示する内蔵表示装置と、
前記第２デジタル画像信号を入力し、該第２デジタル画像信号を外部表示装置への出力用に変換する信号変換部と、を備えるカメラであって、
前記画像処理部から前記内蔵表示装置へ前記第１デジタル画像信号を出力する伝送経路と、前記画像処理部から前記信号変換部へ前記第２デジタル画像信号を出力する伝送経路とが共有されていることを特徴とするカメラ。
【請求項２】
請求項１に記載のカメラであって、
前記内蔵表示装置における撮影画像の表示中に前記信号変換部が前記外部表示装置の接続を検出した場合、前記画像処理部は前記伝送経路を介した前記第１デジタル画像信号の前記内蔵表示装置への出力を継続しつつ前記第２デジタル画像信号の生成を開始し、前記画像処理部における第２デジタル画像信号の生成中、前記内蔵表示装置は前記第１デジタル画像信号に基づく撮影画像の表示を継続することを特徴とするカメラ。
【請求項３】
請求項２に記載のカメラであって、
前記画像処理部での前記第２デジタル画像信号の生成完了以降、
前記内蔵表示装置は撮影画像の表示を停止し、
前記画像処理部は前記伝送経路を介した前記第１デジタル画像信号の出力を停止するとともに前記第２デジタル画像信号の出力を開始し、
前記信号変換部は前記第２デジタル画像信号の入力を開始することを特徴とするカメラ。
【請求項４】
請求項３に記載のカメラであって、
前記信号変換部は、前記第２デジタル画像信号を少なくとも１フレーム入力した後に、前記外部表示装置への出力を開始することを特徴とするカメラ。
【請求項５】
撮影画像データから互いに異なる第１デジタル画像信号と第２デジタル画像信号とを生成可能な画像処理部と、前記第１デジタル画像信号を入力して撮影画像を表示する内蔵表示装置と、前記第２デジタル画像信号を入力し、該第２デジタル画像信号を外部表示装置への出力用に変換する信号変換部と、を備えるカメラにおいて、
前記画像処理部から前記内蔵表示装置へ前記第１デジタル画像信号を出力する伝送経路と前記画像処理部から前記信号変換部へ前記第２デジタル画像信号を出力する伝送経路とを共有し、
前記内蔵表示装置における撮影画像の表示中に前記信号変換部が前記外部表示装置の接続を検出した場合、前記画像処理部は前記伝送経路への前記第１デジタル画像信号の前記内蔵表示装置への出力を継続しつつ前記第２デジタル画像信号の生成を開始し、
前記画像処理部における第２デジタル画像信号の生成中、前記内蔵表示装置は前記第１デジタル画像信号に基づく撮影画像の表示を継続し、
前記第２デジタル画像信号の生成完了以降、
前記内蔵表示装置は撮影画像の表示を停止し、
前記画像処理部は、前記伝送経路を介した前記第１デジタル画像信号の出力を停止するとともに前記第２デジタル画像信号の出力を開始し、
前記信号変換部は前記第２デジタル画像信号を入力することを特徴とする画像表示方法。
【発明の詳細な説明】
【技術分野】
【０００１】
本発明は、撮影画像を表示する内蔵表示装置を備え、且つ外部表示装置においても撮影画像を表示可能なカメラ及び画像表示方法に関する。
【背景技術】
【０００２】
従来、デジタルカメラには、背面液晶等の内蔵表示装置を備えるとともに外部出力部を備え、この外部出力部を介して外部表示装置に接続可能なカメラがある。さらに、外部出力部が複数設けられ、複数の異なる外部表示装置に接続可能なカメラもある。このように撮像画像を異なる表示装置に表示させる場合、異なる解像度や異なる形式の画像データが必要となる。また、カメラのメモリ等に記録される記録画像を作成する場合も、内蔵表示装置や外部表示装置の表示用画像と異なる解像度や異なる形式の画像データが必要となる場合がある。このため、例えば、いわゆる画素ズラシを行うことにより、通常はＴＶモニタ等の外部表示装置で画像を観察し、必要に応じて高解像度の外部表示装置における高精細画像を得る技術が知られている（特許文献１参照）。また、記録画像を作成する際に同時生成される縮小画像データをファインダー表示用として用いる技術が存在する（例えば、特許文献２参照）、
【特許文献１】特開２００１−１２８０５５号公報
【特許文献２】特開２００３−１２５３３１号公報
【発明の開示】
【発明が解決しようとする課題】
【０００３】
本発明の課題は、互いに解像度の異なる複数の表示装置に対して簡単且つ安価な構成で画像を提供することができるカメラを提供することである。また更なる課題は、互いに解像度の異なる複数の表示装置間において画像出力を切り替える際の画像の無表示時間を短縮することである。
【課題を解決するための手段】
【０００４】
本発明は、以下のような解決手段により前記課題を解決する。なお、理解を容易にするために、本発明の実施形態に対応する符号を付して説明するが、これに限定されるものではない。
【０００５】
請求項１に記載の発明は、撮影画像データから互いに解像度の異なる第１デジタル画像信号と第２デジタル画像信号とを生成可能な画像処理部（６）と、前記第１デジタル画像信号を入力して撮影画像を表示する内蔵表示装置（２０）と、前記第２デジタル画像信号を入力し、該第２デジタル画像信号を外部表示装置（１７）への出力用に変換する信号変換部（２１）と、を備えるカメラ（１）であって、前記画像処理部（６）から前記内蔵表示装置（２０）へ前記第１デジタル画像信号を出力する伝送経路（１６）と、前記画像処理部（６）から前記信号変換部（２１）へ前記第２デジタル画像信号を出力する伝送経路（１６）とが共有されていることを特徴とするカメラ（１）である。
請求項２に記載の発明は、請求項１に記載のカメラ（１）であって、前記内蔵表示装置（２０）における撮影画像の表示中に前記信号変換部（２１）が前記外部表示装置（１７）の接続を検出した場合、前記画像処理部（６）は前記伝送経路（１６）を介した前記第１デジタル画像信号の前記内蔵表示装置（２０）への出力を継続しつつ前記第２デジタル画像信号の生成を開始し、前記画像処理部（６）における第２デジタル画像信号の生成中、前記内蔵表示装置（２０）は前記第１デジタル画像信号に基づく撮影画像の表示を継続することを特徴とするカメラ（１）である。
請求項３に記載の発明は、請求項２に記載のカメラ（１）であって、前記画像処理部（６）での前記第２デジタル画像信号の生成完了以降、前記内蔵表示装置（２０）は撮影画像の表示を停止し、前記画像処理部（６）は前記伝送経路（１６）を介した前記第１デジタル画像信号の出力を停止するとともに前記第２デジタル画像信号の出力を開始し、前記信号変換部（２１）は前記第２デジタル画像信号の入力を開始することを特徴とするカメラ（１）である。
請求項４に記載の発明は、請求項３に記載のカメラ（１）であって、前記信号変換部（２１）は、前記第２デジタル画像信号を少なくとも１フレーム入力した後に、前記外部表示装置（１７）への出力を開始することを特徴とするカメラ（１）である。
請求項５に記載の発明は、撮影画像データから互いに異なる第１デジタル画像信号と第２デジタル画像信号とを生成可能な画像処理部（６）と、前記第１デジタル画像信号を入力して撮影画像を表示する内蔵表示装置（２０）と、前記第２デジタル画像信号を入力し、該第２デジタル画像信号を外部表示装置（１７）への出力用に変換する信号変換部（２１）と、を備えるカメラ（１）において、前記画像処理部（６）から前記内蔵表示装置（２０）へ前記第１デジタル画像信号を出力する伝送経路（１６）と前記画像処理部（６）から前記信号変換部（２１）へ前記第２デジタル画像信号を出力する伝送経路（１６）とを共有し、前記内蔵表示装置（２０）における撮影画像の表示中に前記信号変換部（２１）が前記外部表示装置（１７）の接続を検出した場合、前記画像処理部（６）は前記伝送経路（１６）を介した前記第１デジタル画像信号の出力を継続しつつ前記第２デジタル画像信号の生成を開始し、前記画像処理部（６）における第２デジタル画像信号の生成中、前記内蔵表示装置（２０）は前記第１デジタル画像信号に基づく撮影画像の表示を継続し、前記第２デジタル画像信号の生成完了以降、前記内蔵表示装置（２０）は撮影画像の表示を停止し、前記画像処理部（６）は、前記伝送経路（１６）を介した前記第１デジタル画像信号の出力を停止するとともに前記第２デジタル画像信号の出力を開始し、前記信号変換部（２１）は前記第２デジタル画像信号を入力することを特徴とする画像表示方法である。
なお、符号を付して説明した構成は、適宜改良してもよく、また、少なくとも一部を他の構成物に代替してもよい。
【発明の効果】
【０００６】
本発明によれば、簡単で且つ安価な構成で、互いに解像度の異なる複数の表示装置にそれぞれ応じた画像を提供することができる。更に請求項２，５に記載の発明によれば、互いに表示解像度の異なる複数の表示装置間において画像出力を切り替える際の、画像の無表示時間を短縮するができる。
【発明を実施するための最良の形態】
【０００７】
以下、図面等を参照して、本発明の実施形態について説明する。図１は、本実施形態のカメラ１の構成を示すブロック図である。本実施形態においてカメラ１は、デジタルカメラ１であり、撮影レンズ２と、撮像素子３と、撮像素子３で撮像された画像をＡ／Ｄ変換するＡ／Ｄコンバータ（ＡＤＣ）４と、タイミングジェネレータ（ＴＧ）５と、ＡＤＣ４及びＴＧ５に接続された画像処理ＭＣＵ６（ｍｉｃｒｏ−ｃｏｎｔｒｏｌｌｅｒ  ｕｎｉｔ）とを備える。
【０００８】
撮影レンズ２は、被写体像を撮像素子３上に結像するレンズであり、複数のレンズ群より構成されている。本実施形態で撮影レンズ２は、カメラ１に対して着脱可能である。ただしこれに限定されず、撮影レンズ２は、カメラ１に内蔵されたものであってもよい。撮像素子３は、例えば、公知のＣＣＤやＣＭＯＳであり、撮影レンズ２を透過した被写体光を受光して画像信号を出力する。ＡＤＣ４は、撮像素子３から出力される蓄積電荷としてのアナログ画像信号に対してゲイン調整等の処理を行った後、このアナログ画像信号をデジタル信号に変換する。ＴＧ５は、撮像素子３を駆動するタイミング信号及びＡＤＣ４を駆動するタイミング信号を出力する。
【０００９】
画像処理ＭＣＵ６は、ＡＤＣ４から出力されるデジタル信号の原画像データに対してホワイトバランス調整、輪郭補償、ガンマ補正等の画像処理を行い、後述の内蔵ＬＣＤユニット２０やトランスミッタ２１に画像信号を出力する。また、画像処理ＭＣＵ６には内蔵メモリ７が接続されており、画像処理ＭＣＵ６はＡＤＣ４から出力されるデジタル信号の画像データを内蔵メモリ７へ出力する。さらに、画像処理ＭＣＵ６は、原画像データを処理した後に所定の形式で圧縮する圧縮処理やサイズ変更処理等を行う。また、画像処理ＭＣＵ６には、例えばメモリカード８等の外部メモリを着脱可能なカードスロット９が接続され、圧縮処理後の画像データをカードスロット９よりメモリカード８へ出力可能となっている。
【００１０】
画像処理ＭＣＵ６には、さらにシャッタ駆動やミラー制御、ＡＦセンサー駆動といったカメラ１の撮影動作を制御するサブＭＣＵ１０が接続されている。サブＭＣＵ１０には、レリーズボタン１１や各種操作部材１２が接続されている。
【００１１】
また、画像処理ＭＣＵ６にはビデオ出力部１３が接続されている。画像処理ＭＣＵ６は、デジタル信号をＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式のアナログ画像信号に変換し、ビデオ出力部１３に出力する。このビデオ出力部１３にケーブル１４ａを接続し、ＴＶモニタ等の外部アナログモニタ１４を接続することで、外部アナログモニタ１４において撮影画像を表示することができる。
【００１２】
画像処理ＭＣＵ６には、さらに内蔵ＬＣＤ（ｌｉｑｕｉｄ  ｃｒｙｓｔａｌ  ｄｉｓｐｌａｙ）ユニット２０と高解像度出力用のトランスミッタ２１が接続されている。図２は画像処理ＭＣＵ６と内蔵ＬＣＤユニット２０及びトランスミッタ２１との接続部分を詳細に示した図である。図示するように画像処理ＭＣＵ６には、内蔵ＬＣＤユニット２０及びトランスミッタ２１と接続されるコントロール通信部２２とデジタル出力部２３とが設けられている。
【００１３】
コントロール通信部２２とトランスミッタ２１及び内蔵ＬＣＤユニット２０との間は、Ｉ２Ｃ等のコントロール通信用の共通のバス１５で接続されている。またデジタル出力部２３とトランスミッタ２１及び内蔵ＬＣＤユニット２０との間は、ＹＣｂＣｒやＲＧＢデータ等の画像用パラレルデータ送出用の共通のバス１６で接続されている。
【００１４】
画像処理ＭＣＵ６は、ＡＤＣ４から入力されたデジタル信号の画像データから、内蔵ＬＣＤユニット２０用の比較的低解像度の第１デジタル画像信号と、外部デジタルモニタ１７用の高解像度の第２デジタル画像信号とを生成する。デジタル出力部２３は、これらの互いに解像度の異なる第１デジタル画像信号と第２デジタル画像信号を内蔵ＬＣＤユニット２０及びトランスミッタ２１に共通のバス１６を介して出力する。コントロール通信部２２は、画像処理ＭＣＵ６と内蔵ＬＣＤユニット２０及びトランスミッタ２１との間で共通のバス１５を介して制御情報を通信する。
【００１５】
内蔵ＬＣＤユニット２０は、例えばカメラ１の背面に設けられた液晶モニタであり、画像処理ＭＣＵ６のデジタル出力部２３より入力された低解像度の第１デジタル画像を表示する。
【００１６】
トランスミッタ２１は、画像処理ＭＣＵ６のデジタル出力部２３よりバス１６を介して入力された高解像度の第２デジタル画像信号、及びコントロール通信部２２よりバス１５を介して入力された制御信号に基づき、外部デジタルモニタ１７用のＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）やＤＶＩ（Ｄｉｇｉｔａｌ  Ｖｉｓｕａｌ  Ｉｎｔｅｒｆａｃｅ）方式の外部出力信号を生成する。トランスミッタ２１にはコネクタ２１ａが設けられ、このコネクタ２１ａと外部デジタルモニタ１７との間をケーブル１７ａで接続することで撮影画像を外部デジタルモニタ１７に表示可能となる。
【００１７】
次に、本実施形態のカメラ１の動作について説明する。まず、撮影者により図１に示すレリーズボタン１１が押されると、撮影レンズ２より被写体像が撮影される。撮影画像は撮像素子３により画像信号に変換される。その画像信号はＡＤＣ４によりデジタル信号の原画像データに変換されて画像処理ＭＣＵ６に入力される。画像処理ＭＣＵ６では、原画像データに対してホワイトバランス（ＷＢ）調整、輪郭補償、ガンマ補正等の画像処理が行われ、原画像データが内蔵メモリ７に出力され、また所定の形式で圧縮された画像データが撮影者の選択によりメモリカード８に記憶される。
【００１８】
図３はカメラ１における撮影画像の表示動作を示したフローチャートである。まず、撮影画像を内蔵ＬＣＤユニット２０で表示する場合、操作部材１２から入力された信号に基づき、サブＭＣＵ１０を介して画像処理ＭＣＵ６により、内蔵メモリ７やメモリカード８に記憶された画像データが呼び出される。画像処理ＭＣＵ６は、その画像データから、内蔵ＬＣＤユニット２０用の低解像度の第１デジタル画像信号を作成する。内蔵ＬＣＤユニット２０はその第１デジタル画像信号に基づき、撮影画像を表示する（ステップ１、以下、ステップをＳで表す）。
【００１９】
内蔵ＬＣＤユニット２０における撮影画像の表示中に、トランスミッタ２１のコネクタ２１ａにケーブル１７ａを介して外部デジタルモニタ１７が接続されると、接続情報がトランスミッタ２１のレジスタ上にステータス情報として保持されるか、又は接続検出信号が割り込み信号にてコントロール通信用のバス１５を介してコントロール通信部２２より画像処理ＭＣＵ６に通知される。画像処理ＭＣＵ６は、接続情報をトランスミッタ２１側から読み出すか、又は接続検出信号を割り込み信号により検出すると（Ｓ２）、トランスミッタ２１へ初期化設定をバス１５経由で指示する。この初期化設定指示によりトランスミッタ２１は、ＨＤＭＩ接続やＤＶＩ接続においてＶＥＳＡ（Ｖｉｄｅｏ  Ｅｌｅｃｔｒｏｎｉｃｓ  Ｓｔａｎｄａｒｄｓ  Ａｓｓｏｃｉａｔｉｏｎ）規定の、外部デジタルモニタ１７側がサポートする周波数や解像度などを含むデータ（ＥＤＩＤ：Ｅｘｔｅｎｄｅｄ  Ｄｉｓｐｌａｙ  Ｉｄｅｎｔｉｆｉｃａｔｉｏｎ  Ｄａｔａ）を外部デジタルモニタ１７側から読み出し、出力する際の周波数や解像度の決定等を行う初期化を行う（Ｓ３）。この出力する際の周波数や解像度が決定されると、その情報に基づき、画像処理ＭＣＵ６は高解像度の第２デジタル画像信号の作成を開始する（Ｓ４）。
【００２０】
ここで、上述のように、画像処理ＭＣＵ６のデジタル出力部２３と内蔵ＬＣＤユニット２０との間、及び画像処理ＭＣＵ６のデジタル出力部２３とトランスミッタ２１との間は、共通の画像通信用のバス１６で接続されている。したがって、上述のトランスミッタ２１の初期化及び画像処理ＭＣＵ６での高解像度の第２デジタル画像信号の作成中においても、それと並行して第１デジタル画像信号がＭＣＵ６で作成され、且つ画像通信用のバス１６にはその作成された低解像度の第１デジタル画像信号が流れている。この場合、低解像度の第１デジタル画像信号がトランスミッタ２１を通って高解像度の外部デジタルモニタ１７へと出力されると、外部デジタルモニタ１７が対応する解像度ではないため、外部デジタルモニタ１７において正常な表示ができない。ゆえに、トランスミッタ２１で初期化を行っている間、トランスミッタ２１における外部デジタルモニタ１７への出力は停止され、バス１６を流れる低解像度の第１デジタル信号が外部デジタルモニタ１７に表示されることはない（Ｓ３，Ｓ４）。
【００２１】
また、画像処理ＭＣＵ６のデジタル出力部２３と内蔵ＬＣＤユニット２０との間、及び画像処理ＭＣＵ６のデジタル出力部２３とトランスミッタ２１との間は、共通の画像通信用のバス１６で接続されているため、内蔵ＬＣＤユニット２０用の低解像度の第１デジタル画像信号の出力と外部デジタルモニタ１７用の高解像度の第２デジタル画像信号の出力とを同時に行うことができない。したがって、これらのデジタル画像信号の出力は、排他的に切り替えて行う必要がある。このため、画像処理ＭＣＵ６における高解像度の第２デジタル画像信号の作成完了以降、まず、内蔵ＬＣＤユニット２０は、画像処理ＭＣＵ６からバス１５を介し表示停止の指示を受け、撮影画像の表示を停止する（Ｓ５）。これとともに画像処理ＭＣＵ６からバス１６への低解像度の第１デジタル画像信号の出力が停止され、高解像度の第２デジタル画像信号の出力が開始される（Ｓ６）。
【００２２】
トランスミッタ２１では、画像処理ＭＣＵ６から高解像度の第２デジタル画像信号の出力が開始されても、第２デジタル画像信号が数フレーム送信されるまで外部デジタルモニタ１７への出力を停止し続ける（Ｓ７）。これは、画像処理ＭＣＵ６から送られる第２デジタル画像信号が、最初の数フレームにおいて、出力が安定していない場合があるからである。第２デジタル画像信号が画像処理ＭＣＵ６から数フレーム分送信された後、トランスミッタ２１は外部デジタルモニタ１７へ出力を開始し（Ｓ８）、外部デジタルモニタ１７における高解像度デジタル画像の表示が行われる（Ｓ９）。なお、「数フレーム」とは、１以上の出力が安定するまでのフレーム数であり、画像処理ＭＣＵ６の特性に応じて異なる数である。
【００２３】
このように本実施形態においては、トランスミッタ２１が外部デジタルモニタ１７を検出した後（Ｓ２）、トランスミッタ２１の初期化が行われ（Ｓ３）、画像処理ＭＣＵ６において高解像度の第２デジタル画像信号が作成（Ｓ４）されている間、内蔵ＬＣＤユニット２０は画像の表示を継続し続ける。そして高解像度の第２デジタル画像信号が作成された後、内蔵ＬＣＤユニット２０は画像の表示を停止する（Ｓ５）。すなわち、図３において内蔵ＬＣＤユニット２０と外部デジタルモニタ１７との両方において画像が表示されない時間は、Ｓ５からＳ８までの期間である。
【００２４】
図４は、本実施形態の比較例のカメラにおける撮影画像の表示動作を示したフローチャートである。図示するように比較例では、内蔵ＬＣＤユニットにおいて画像が表示されている最中に（Ｓ１１）、外部デジタルモニタ１７の接続を検出すると（Ｓ１２）、すぐさま内蔵ＬＣＤユニットの表示がオフされる（Ｓ１３）ようになっている。その後、トランスミッタにおいて初期化が行われ（Ｓ１４）、画像処理ＭＣＵにおいて高解像度の第２デジタル画像信号が作成される（Ｓ１５）。第２デジタル画像信号が生成されると、トランスミッタへの第２デジタル画像信号の出力が開始される（Ｓ１６）。トランスミッタでは、第２デジタル画像信号が数フレーム分送信される間、トランスミッタにおける外部デジタルモニタへの出力を停止し続ける（Ｓ１７）。第２デジタル画像信号が数フレーム分送信された後、トランスミッタは外部デジタルモニタへ出力を開始し（Ｓ１８）、外部デジタルモニタにおける高解像度デジタル画像の表示が行われる（Ｓ１９）。
【００２５】
このように比較例では、トランスミッタが外部デジタルモニタを検出すると（Ｓ１２）、すぐに内蔵ＬＣＤユニットの画像表示がオフされる（Ｓ１３）。そしてトランスミッタにおける初期化（Ｓ１４）、及び画像処理ＭＣＵにおける高解像度デジタル画像データの作成中（Ｓ１５）も内蔵ＬＣＤユニット及び外部デジタルモニタのいずれにおいても画像が表示されていない。すなわち画像の無表示時間はＳ１３からＳ１８の間となり、本実施形態（図３）で示したものに比して無表示時間が長くなってしまうというデメリットがある。
【００２６】
以上、本実施形態によると以下の効果を有する。
（１）本実施形態では、コントロール通信部２２とトランスミッタ２１及び内蔵ＬＣＤユニット２０との間は、コントロール通信用の共通のバス１５で接続されている。またデジタル出力部２３とトランスミッタ２１及び内蔵ＬＣＤユニット２０との間は、画像通信用の共通のバス１６で接続されている。このようにバス１５，１６を共通化してバスの数を減少させているため、基板間及び画像処理ＭＰＵ６におけるピン数の削減が可能となり、製造コストを低減することでき、さらにカメラ１の小型化も可能となる。
（２）本実施形態では、トランスミッタ２１が外部デジタルモニタ１７を検出し、トランスミッタ２１で初期化が行われ、画像処理ＭＣＵ６において高解像度の第２デジタル画像信号が作成されている間、内蔵ＬＣＤユニット２０は撮影画像の表示を継続し続ける。一方、比較例では、外部デジタルモニタの接続を検出すると、すぐに内蔵ＬＣＤユニットの表示がオフされる、その後、トランスミッタにおいて初期化が行われ、画像処理ＭＣＵにおいて高解像度の第２デジタル画像信号が作成される。したがって、本実施形態では比較例と比べると、内蔵ＬＣＤユニット２０及び外部デジタルモニタ１７のいずれにおいても撮影画像が表示されていない期間が短く、使用者が画像を見ることのできない期間を短かくすることができる。
（３）本実施形態では、画像処理ＭＣＵ６からトランスミッタ２１への第２デジタル画像データの出力が開始されて画像処理ＭＣＵ６からの出力が安定するまでの第２デジタル画像信号が数フレーム分送信される間、トランスミッタ２１における外部デジタルモニタ１７への出力を停止し続け、画像処理ＭＣＵ６の出力が安定した後、トランスミッタ２１は外部デジタルモニタ１７へ出力を開始する。このように画像処理ＭＣＵ６からの第２デジタル画像信号の出力が安定するまで外部デジタルモニタ１７への出力を待つことにより、外部デジタルモニタ１７での不安定な画像表示を防止することができる。
【００２７】
（変形形態）
以上、説明した実施形態に限定されることなく、以下に示すような種々の変形や変更が可能であり、それらも本発明の範囲内である。
（１）本実施形態では、内蔵ＬＣＤユニット２０の表示停止、低解像度の第１デジタル画像信号の出力の停止及び高解像度の第２デジタル画像信号の出力開始は、ほぼ同時に行われるが、本発明はこれに限定されない。例えば、内蔵ＬＣＤユニット２０の表示停止、低解像度の第１デジタル画像信号の出力の停止、高解像度の第２デジタル画像信号の出力開始は、この記載の順序でそれぞれ多少の時間差をもって行われてもよい。
（２）本実施形態では、高解像度の第２デジタル画像信号の出力開始後、第２デジタル画像信号が数フレーム分送信される間、トランスミッタ２１における外部デジタルモニタ１７への出力を停止し続けるが、本発明はこれに限定されない。例えば画像処理ＭＣＵにおける第２デジタル画像信号の出力が当初より安定している場合、数フレーム待たずに画像処理ＭＣＵ６からの第２デジタル画像信号の出力開始と同時にトランスミッタ２１における外部デジタルモニタ１７への出力が開始するようにしてもよい。
なお、本実施形態及び変形形態は、適宜組み合わせて用いることもできるが、詳細な説明は省略する。また、本発明は以上説明した実施形態によって限定されることはない。
【図面の簡単な説明】
【００２８】
【図１】実施形態のカメラの構成を示すブロック図である。
【図２】画像処理ＭＣＵと内蔵ＬＣＤユニット及びトランスミッタとの接続部分を詳細に示した図である。
【図３】カメラにおける撮影画像の表示動作を示したフローチャートである。
【図４】本実施形態の比較例のカメラにおける撮影画像の表示動作を示したフローチャートである。
【符号の説明】
【００２９】
１：カメラ、６：画像処理ＭＣＵ、１６：バス、１７：外部デジタルモニタ、２０：内蔵ＬＣＤユニット、２１：トランスミッタ
【図１】
2009038635.tif 000003
【図２】
2009038635.tif 000004
【図３】
2009038635.tif 000005
【図４】
2009038635.tif 000006